(57)【特許請求の範囲】
【請求項１】
吸湿剤を収容する筒状の容器本体がほぼ垂直に配設され、この容器本体内に排気管が同心上に配設され、前記容器本体の上側に、変圧器などの機器側に接続される呼吸管が設けられ、大気が前記容器本体の下側から流入して前記吸湿剤を通過し、前記呼吸管から前記機器側に向い、前記容器本体内の外周部により多くの大気が通過する吸湿呼吸器において、
前記容器本体内に、筒状で周壁に前記吸湿剤よりも小さい通気孔が形成されている内筒が、前記容器本体の垂直中心とほぼ同心に配設され、この内筒と前記容器本体との間に前記吸湿剤が収容され、
前記内筒の外径は、該内筒が前記排気管と前記容器本体との間に位置して、前記多くの大気が通過する通風路を該内筒と前記容器本体とで挟むように設定されている、
ことを特徴とする吸湿呼吸器。
【請求項２】
吸湿剤を収容する筒状の容器本体がほぼ垂直に配設され、この容器本体内に排気管が同心上に配設され、前記容器本体の上側に、変圧器などの機器側に接続される呼吸管が設けられ、大気が前記容器本体の下側から流入して前記吸湿剤を通過し、前記呼吸管から前記機器側に向い、前記容器本体内の外周部により多くの大気が通過する吸湿呼吸器において、この吸湿呼吸器の前記容器本体内に配設される吸湿呼吸器用内筒であって、
筒状で周壁に前記吸湿剤よりも小さい通気孔が形成されている内筒本体と、この内筒本体を前記容器本体の垂直中心とほぼ同心に位置させるための固定手段とを備え、
前記内筒本体の外径は、該内筒本体が前記排気管と前記容器本体との間に位置して、前記多くの大気が通過する通風路を該内筒本体と前記容器本体とで挟むように設定されている、
ことを特徴とする吸湿呼吸器用内筒。
【発明の詳細な説明】
【技術分野】
【０００１】
本発明は、変圧器などの機器の呼吸作用によって流入する大気中の湿気を吸収するための吸湿呼吸器（ブリーザ）に関する。
【背景技術】
【０００２】
例えば、変圧器の呼吸作用によって大気中の湿気が器内に侵入し、その水分が油に溶けて変圧器の絶縁耐力を低下させる、という事象がある。このため、侵入した湿気を吸湿剤（脱水剤）によって吸収するための吸湿呼吸器が、変圧器などに付設されている。この吸湿呼吸器は、例えば、透明ガラス製で円筒状の容器本体が垂直に配置され、この容器本体の上側に変圧器側などに接続される呼吸管が設けられ、容器本体の下側には油壷が設けられている。また、容器本体内にはシリカゲルなどの吸湿剤が収容（封入）され、油壷には油が収容されている。そして、大気（外気）が容器本体の下側から流入して、油壷内の油および容器本体内の吸湿剤を通過する（通り抜ける。）。これにより、大気中の湿気が吸湿剤によって吸収され、吸気管から変圧器側などに流入する。一方、変圧器側などからの排気が吸気管から流入し、容器本体内および油壷内を通過して、大気中に排出されるものである（例えば、特許文献１参照。）。
【０００３】
また、このような吸湿呼吸器には、容器本体の上側に吸湿剤投入口が設けられ、下側には吸湿剤排出口が設けられている。そして、吸湿剤投入口から吸湿剤を容器本体内に投入するとともに、容器本体内の吸湿剤を吸湿剤排出口から排出するようにしている。
【特許文献１】実開平５−１８０１２号公報
【発明の開示】
【発明が解決しようとする課題】
【０００４】
ところで、変圧器などの呼吸作用によって、吸湿剤が大気中の湿気を繰り返し吸収することで、湿気を十分に吸収し、吸湿剤の吸湿効果が低下（劣化）していく。例えば、吸湿剤がシリカゲルの場合、当初青色のシリカゲルが、赤色からピンク色に変わり、湿気を十分に吸収した状態では透明（白色）に変色する。そして、吸湿剤の吸湿効果が低下した場合には、吸湿剤を新たな吸湿剤に取り替える必要がある。この際、容器本体の外側から吸湿剤の変色状態を目視で確認し、劣化を示す色（透明など）に変色している場合には、取替時期であると判断する。そして、容器本体内のすべての吸湿剤を吸湿剤排出口から排出させ、新たな吸湿剤を吸湿剤投入口から容器本体内に投入していた。
【０００５】
このように、容器本体の外側から吸湿剤の変色状態を目視で確認し、取替時期を判断していた。すなわち、容器本体内の外周部に位置する吸湿剤が劣化を示す色に変色している場合には、容器本体内のすべての吸湿剤が劣化していると判断していた。しかしながら、本発明者は研究を重ね、容器本体内のすべての吸湿剤が均等に劣化するものではないことを確認した。すなわち、容器本体内の外周部に位置する吸湿剤が、容器本体内の中心部に位置する吸湿剤に比べて、早く劣化することを確認した。さらには、長期間が経過しても、容器本体内の中心部に位置する吸湿剤は吸湿しづらい、すなわち劣化しづらいことを確認した。そして、これらのことから、容器本体内の外周部に、より多くの大気が通過することを確認するに至った。
【０００６】
従って、容器本体内の外周部に位置する吸湿剤が劣化しても、中心部に位置する吸湿剤は劣化していないことが多い。このため、容器本体内の外周部に位置する吸湿剤が劣化した時点で、すべての吸湿剤を取り替えると、中心部に位置する劣化していない吸湿剤をも取り替えることになり、中心部に位置する吸湿剤を無駄にしていた。すなわち、容器本体内のすべての吸湿剤を有効に使用するに至らず、吸湿剤の収容量に応じた十分な吸湿機能を果たしていなかった。
【０００７】
そこで本発明は、容器本体内のすべての吸湿剤を有効に使用することができる吸湿呼吸器および、吸湿呼吸器用内筒を提供することを目的とする。
【課題を解決するための手段】
【０００８】
上記目的を達成するために請求項１に記載の発明は、吸湿剤を収容する筒状の容器本体がほぼ垂直に配設され、この容器本体内に排気管が同心上に配設され、前記容器本体の上側に、変圧器などの機器側に接続される呼吸管が設けられ、大気が前記容器本体の下側から流入して前記吸湿剤を通過し、前記呼吸管から前記機器側に向い、前記容器本体内の外周部により多くの大気が通過する吸湿呼吸器において、前記容器本体内に、筒状で周壁に前記吸湿剤よりも小さい通気孔が形成されている内筒が、前記容器本体の垂直中心とほぼ同心に配設され、この内筒と前記容器本体との間に前記吸湿剤が収容され、前記内筒の外径は、該内筒が前記排気管と前記容器本体との間に位置して、前記多くの大気が通過する通風路を該内筒と前記容器本体とで挟むように設定されている、ことを特徴としている。
（作用）
内筒と容器本体との間に吸湿剤が収容されているため、すなわち、より多くの大気が通過する容器本体内の外周部に吸湿剤が収容されているため、収容されているすべての吸湿剤が多くの湿気を吸収する。このため、収容されているすべての吸湿剤の吸湿効果が均等に低下（劣化）する。
【０００９】
また、容器本体の下側から流入した大気が内筒内にも流入し、この大気が内筒の通気孔を通って吸湿剤側に流れる。一方、内筒と容器本体との間に収容された吸湿剤を通過してきた大気が、内筒の通気孔を通って内筒内に流れる。このようにして、内筒内と吸湿剤とを大気が流動する。また、内筒の内側から通気孔を介して、内筒の外周面側に位置する吸湿剤の状態（変色状態）を目視することが可能となる。
【００１０】
請求項２に記載の発明は、吸湿剤を収容する筒状の容器本体がほぼ垂直に配設され、この容器本体内に排気管が同心上に配設され、前記容器本体の上側に、変圧器などの機器側に接続される呼吸管が設けられ、大気が前記容器本体の下側から流入して前記吸湿剤を通過し、前記呼吸管から前記機器側に向い、前記容器本体内の外周部により多くの大気が通過する吸湿呼吸器において、この吸湿呼吸器の前記容器本体内に配設される吸湿呼吸器用内筒であって、筒状で周壁に前記吸湿剤よりも小さい通気孔が形成されている内筒本体と、この内筒本体を前記容器本体の垂直中心とほぼ同心に位置させるための固定手段とを備え、前記内筒本体の外径は、該内筒本体が前記排気管と前記容器本体との間に位置して、前記多くの大気が通過する通風路を該内筒本体と前記容器本体とで挟むように設定されている、ことを特徴としている。
【発明の効果】
【００１２】
請求項１に記載の発明によれば、収容されているすべての吸湿剤の吸湿効果が均等に低下（劣化）するため、容器本体内のすべての吸湿剤を有効に使用することができる。すなわち、容器本体の外側から目視できる一部の吸湿剤（容器本体の内周面側に位置する吸湿剤）が劣化を示す色に変色している場合には、ほぼすべての吸湿剤が劣化していることになる。このため、目視できる一部の吸湿剤の変色状態に基づいて取替時期を判断し、すべての吸湿剤を新たな吸湿剤に取り替えたとしても、吸湿剤を無駄にすることがない。そして、内筒と容器本体との間に吸湿剤を収容するため、容器本体内のすべてに吸湿剤を収容する場合に比べて、吸湿剤の収容量（使用量）を低減することができる。つまり、湿気が良好に吸収される部位に必要量だけの吸湿剤を収容し、そのすべての吸湿剤を無駄なく有効に使用することができる。
【００１３】
また、内筒内と吸湿剤とを大気が流動するため、内筒の外周面側（容器本体内の中心部側）に位置する吸湿剤が、大気と良好に接触する。この結果、内筒の外周面側から容器本体の内周面側に亘るすべての吸湿剤が（略同一平面上の吸湿剤が）、より均等に湿気を吸収し、より均等に劣化する。つまり、すべての吸湿剤をより無駄なく有効に使用することができる。さらに、内筒の外周面側に位置する吸湿剤の状態（変色状態）を目視することが可能なため、吸湿剤の取替時期をより適正に判断することが可能となる。
【００１４】
請求項２に記載の発明によれば、固定手段によって内筒本体が容器本体の垂直中心とほぼ同心に位置するように吸湿呼吸器用内筒を配設し、この吸湿呼吸器用内筒と容器本体との間に吸湿剤を収容することで、すべての吸湿剤を無駄なく有効に使用することができる。また、吸湿呼吸器全体を取り替えることなく、既存の吸湿呼吸器に本吸湿呼吸器用内筒を配設することで、吸湿剤を無駄なく有効に使用することが可能となり、既存の吸湿呼吸器を有効的に活用することができる。
【発明を実施するための最良の形態】
【００１５】
以下、本発明を図示の実施形態に基づいて説明する。
【００１６】
図１は、本発明の実施形態に係わる吸湿呼吸器１を示す正面図である。この吸湿呼吸器１は主として、ガラス筒２（容器本体）、上蓋金具３、底蓋金具４、呼吸管５、油壷６、排気管７および、内筒８を備えている。
【００１７】
ガラス筒２は透明ガラス製の円筒状で、その上端部にガスケット（図示せず）を介して上蓋金具３が取り付けられ、下端部にガスケット（図示せず）を介して底蓋金具４が取り付けられている。すなわち、ガラス筒２の上下端部を上蓋金具３と底蓋金具４とによって挟持した状態で、上蓋金具３と底蓋金具４とが長尺ボルト９によって締め付けられている。そして、このように密閉されたガラス筒２の中に、後述するようにして、シリカゲル１３（吸湿剤）が封入（収容）されるようになっている。なお、図１では、説明のために、シリカゲル１３は二点鎖線で示している。
【００１８】
上蓋金具３の中心からずれた位置（外周部）には吸湿剤投入口３ａが設けられ、この吸湿剤投入口３ａには投入キャップ１０が取り付けられている。また、吸湿剤投入口３ａと対向する上蓋金具３の外周部には、呼吸管５がフランジ部５ａを介してボルト１１によって取り付けられている。この呼吸管５は、変圧器側のコンサベータ（図示せず）に接続され、変圧器側へ大気を送り、また、変圧器側からの排気を受けるための通気管である。
【００１９】
底蓋金具４の中心からずれた外周部（吸湿剤投入口３ａのほぼ真下）には吸湿剤排出口４ａが設けられ、この吸湿剤排出口４ａには排出キャップ１２が取り付けられている。また、底蓋金具４の下面側には、円筒状の吸気筒４ｂと排気筒４ｃとが形成され、排気筒４ｃが、底蓋金具４の中心すなわちガラス筒２の垂直中心に位置するように配設されている。そして、この吸気筒４ｂと排気筒４ｃとを覆うように、油１４を収容する（蓄える）油壷６が取り付けられている。
【００２０】
この油壷６は底を有する円筒状で、上端のフランジ部６ａが底蓋金具４の取付部４ｄに装着された状態で取り付けられている。また、この油壷６内には仕切板６ｂが設けられ、この仕切板６ｂによって吸気室６ｃと排気室６ｄとに分室されている。そして、吸気室６ｃ内に底蓋金具４の吸気筒４ｂが収容され、排気室６ｄ内に排気筒４ｃが収容されるようになっている。さらに、フランジ部６ａの下側には、大気が流入するための吸気口６ｅが吸気室６ｃ側に設けられ、大気へ排気するための排気口６ｆが排気室６ｄ側に設けられている。
【００２１】
また、底蓋金具４の中心部には、排気筒４ｃと連通する貫通孔４ｅが形成され、この貫通孔４ｃに排気管７が挿入（圧入）されている。これにより、排気管７がガラス筒２の垂直中心（中心軸）に位置し、排気管７と排気筒４ｃとを介して油壷６（排気室６ｄ）と呼吸管５とが連通するようになっている。さらに、底蓋金具４には、油壷６の吸気口６ｅから流入した大気を、吸気室６ｃからガラス筒２内に流入させるための空気孔（図示せず）が設けられている。
【００２２】
内筒８は、金網を円筒状に形成した内筒本体８１と、アクリル製で円盤状の固定盤８２（固定手段）とから構成されている。すなわち、図２に示すように、固定盤８２の中心部に装着孔８２ａが形成され、この装着孔８２ａに排気管７が圧入された状態で、４つの固定盤８２がほぼ等間隔に排気管７に装着されている。また、固定盤８２の周縁には、盤面と直角な垂直壁８２ｂが形成され、この垂直壁８２ｂに内筒本体８１が巻き付けられた状態で固定され、ガラス筒２内に配設されている。そしてこれにより、内筒本体８１の垂直中心がガラス筒２（排気管７）の垂直中心と同心になるようなっている。
【００２３】
また、内筒本体８１の長さ（高さ）は、排気管７の長さよりもやや短く設定され、内筒本体８１の外径は、多くの大気が通過する通風路を内筒本体８１とガラス筒２とによって挟むように設定されている。すなわち、シリカゲル１３を収容した状態で、内筒本体８１内を流れる大気が少なく、内筒本体８１とガラス筒２とによって挟まれた領域（空間）を流れる大気が多くなるように設定されている。例えば、ガラス筒２の内径が約１３０ｍｍの場合、内筒本体８１の外径が約５０ｍｍに設定されている。さらに、内筒本体８１の周壁である金網の網目は、後述するように通気孔としての役目を備え、その大きさはシリカゲル１３よりも小さく設定されている。そして、このような内筒８の内筒本体８１とガラス筒２との間に、シリカゲル１３が収容されている。なお、内筒８内には、シリカゲル１３は収容されていない。
【００２４】
さらに、内筒８の下端部には、多孔底板１５が設けられている。この多孔底板１５は板状の金網で構成され、ガラス筒２の内周面から吸湿剤排出口４ａの口元に向って下側に傾斜するように形成されている。これにより、シリカゲル１３を排出する際に、ガラス筒２内のシリカゲル１３が吸湿剤排出口４ａ側に流動しやすいようになっている。
【００２５】
次に、このような構成の吸湿呼吸器１の作用などについて説明する。
【００２６】
まず、ガラス筒２内にシリカゲル１３が封入されていない状態では、投入キャップ１０を外して吸湿剤投入口３ａから、内筒８の内筒本体８１とガラス筒２との間にシリカゲル１３を投入し、再び投入キャップ１０を取り付ける（締める）。次に、呼吸管５をコンサベータに接続して、吸湿呼吸器１を変圧器側に付設する。
【００２７】
そして、変圧器の呼吸作用によって、大気が吸湿呼吸器１を介して変圧器に吸気され、変圧器からの排気が吸湿呼吸器１を介して大気に排出（排気）される。すなわち、吸気の際には、大気が油壷６の吸気口６ｅから流入し、吸気室６ｃ内の油１４を通過して、底蓋金具４の空気孔からガラス筒２内に流入する。そして、ガラス筒２内のシリカゲル１３を下部から上部に向って通過し（通り抜け）、吸気管５からコンサベータ（変圧器側）に流入する。さらに、図３に示すように、底蓋金具４の空気孔から流入した大気が内筒８の内筒本体８１内にも流入し、この大気が内筒本体８１の網目を通ってシリカゲル１３側に流れる。一方、シリカゲル１３を通過してきた大気が、内筒本体８１の網目を通って内筒本体８１内に流れる。このように、内筒８の内筒本体８１内とシリカゲル１３とを大気が流動する。
【００２８】
このようにして、大気がシリカゲル１３を通過することで、大気中の湿気がシリカゲル１３によって吸収され、変圧器の絶縁耐力の低下が防止される。一方、排気の際には、変圧器（コンサベータ）からの排気が吸気管５から流入し、排気管７内を通って油壷６の排気室６ｄ内の油１４を通過し、排気口６ｆから大気中に排出されるものである。
【００２９】
このような吸排気を繰り返すことによって、シリカゲル１３が湿気を吸収し、次第にその吸湿効果が低下（劣化）していく。この劣化の状態を色で表すと、当初青色のシリカゲル１３が、赤色からピンク色に変わり、湿気を十分に吸収した状態では透明（白色）となる。そして、吸湿効果が低下したシリカゲル１３を新たなシリカゲルに取り替えるには、次のようにすればよい。すなわち、排出キャップ１２を外して、すべてのシリカゲル１３を吸湿剤排出口４ａから排出させた後に、再び排出キャップ１２を取り付ける。そして、上記と同様にして、新たなシリカゲルを吸湿剤投入口３ａからガラス筒２内に投入すればよい。
【００３０】
ところで、本発明者は研究を重ね、ガラス筒２内の外周部に、より多くの大気が通過することを確認するに至った。そして、本吸湿呼吸器１では、上記のように、内筒８の内筒本体８１とガラス筒２との間にシリカゲル１３が収容されているため、すなわち、より多くの大気が通過するガラス筒２内の外周部にのみシリカゲル１３が収容されているため、収容されているすべてのシリカゲル１３が多くの湿気を吸収する。このため、収容されているすべてのシリカゲル１３の吸湿効果が均等に低下（劣化）する。さらに、上記のように、内筒８の内筒本体８１内とシリカゲル１３とを大気が流動するため、内筒本体８１の外周面側（ガラス筒２内の中心部側）に位置するシリカゲル１３が、大気と良好に接触する。この結果、内筒本体８１の外周面側からガラス筒２の内周面側に亘るすべてのシリカゲル１３がより均等に湿気を吸収し、より均等に劣化する。つまり、略同一平面上のシリカゲル１３が、より均等に劣化する。
【００３１】
この結果、収容されたすべてのシリカゲル１３を無駄なく有効に使用することができる。すなわち、ガラス筒２の外側から目視できるガラス筒２内の最外周部（ガラス筒２の内周面側）に位置するシリカゲル１３が透明に変色している場合には、ほぼすべてのシリカゲル１３が劣化していることになる。このため、目視できる一部のシリカゲル１３の変色状態に基づいて取替時期を判断し、すべてのシリカゲル１３を新たなシリカゲル１３に取り替えたとしても、シリカゲル１３を無駄にすることがない。つまり、劣化していないシリカゲル１３を取り替えてしまうことがない。そして、内筒８の内筒本体８１とガラス筒２との間にのみシリカゲル１３を収容するため、内筒８内を含めたガラス筒２内のすべてにシリカゲル１３を収容する場合に比べて、シリカゲル１３の収容量（使用量）を低減することができる。つまり、湿気が良好に吸収される部位であるガラス筒２内の外周部にのみ、必要量だけのシリカゲル１３を収容し、そのすべてのシリカゲル１３を無駄なく有効に使用することができる。
【００３２】
これに対し、内筒８が設けられていないと、収容されているシリカゲル１３の一部を無駄に取り替えなければならないことになる。すなわち、ガラス筒２内のすべてにシリカゲル１３を収容した場合、図４に示すように、ガラス筒２内の中心部（排気管７）に位置するシリカゲル１３を通過する大気量が少なく、当シリカゲル１３の吸湿量は少ない。このため、ガラス筒２内の外周部に位置するシリカゲル１３が劣化しても、中心部に位置するシリカゲル１３は劣化していないことが多い。そして、ガラス筒２内の外周部に位置するシリカゲル１３が劣化した時点で、すべてのシリカゲル１３を取り替えると、中心部に位置する劣化していないシリカゲル１３をも取り替えることになり、中心部に位置するシリカゲル１３を無駄にすることになる。すなわち、ガラス筒２内のすべてのシリカゲル１３を有効に使用するに至らず、シリカゲル１３の収容量に応じた十分な吸湿機能を果たさないことになる。
【００３３】
ところで、上記のように、内筒８の内筒本体８１が金網によって構成されているため、金網の網目を介して、内筒本体８１の外周面側（ガラス筒２内の中心部側）に位置するシリカゲル１３の変色状態などを目視することが可能となる。例えば、図５に示すように、投入キャップ１０を外し、吸湿剤投入口３ａから内筒本体８１の内側を覗き見ることで、金網の網目から現れたシリカゲル１３を目視することが可能となる。これにより、シリカゲル１３の取替時期をより適正に判断することが可能となる。すなわち、ガラス筒２の外側から目視できるガラス筒２内の最外周部に位置するシリカゲル１３の変色状態のみならず、ガラス筒２内の中心部側に位置するシリカゲル１３の変色状態も目視することができるため、シリカゲル１３全体の劣化状態をより正確に把握し、取替時期をより適正に判断することが可能となる。
【００３４】
また、例えば、ガラス筒２内の最外周部に位置するシリカゲル１３のみが透明に変色し、ガラス筒２内の中心部側に位置するシリカゲル１３が赤色程度に変色している場合には、内筒８の内筒本体８１の外径が適正ではないと判断できる。すなわち、このような場合には、ガラス筒２内の中心部側に位置するシリカゲル１３には、大気の通過が少ないと判断できる。このため、内筒本体８１の外径を大きくし、より適正な必要量だけのシリカゲル１３を収容するようにすることができる。このように、ガラス筒２内の中心部側に位置するシリカゲル１３の変色状態などを目視できることで、内筒本体８１の外径を調整し、シリカゲル１３をより無駄なく有効に使用することが可能となる。
【００３５】
以上、この発明の実施形態について説明したが、具体的な構成は、本実施形態に限られるものではなく、この発明の要旨を逸脱しない範囲の設計の変更等があっても、この発明に含まれる。例えば、内筒８の内筒本体８１を板材で構成し、この板材（周壁）に通気孔を設けるようにしてもよい。また、排気管７に装着された固定盤８２によって内筒本体８１がガラス筒２の垂直中心と同心になるように位置させているが、例えば、内筒本体８１とガラス筒２との間に放射線状の固定部材（固定手段）を設け、この固定部材によって内筒本体８１をガラス筒２の垂直中心と同心に位置させるようにしてもよい。
【００３６】
さらに、変圧器のみならず、油タンクなどその他の機器にも本吸湿呼吸器１を付設できることは勿論である。さらにまた、ガラス筒２の下側に油壷６以外の弁室（吸気弁と排気弁とを収容した容器）などが設けられている吸湿呼吸器や、吸湿剤排出口４ａのみが設けられている吸湿呼吸器にも内筒８を配設することで、本吸湿呼吸器１と同等の効果が得られることは勿論である。
【００３７】
また、既存の吸湿呼吸器に上記のような内筒８（吸湿呼吸器用内筒）を配設するようにしてもよい。例えば、上記のような内筒８の固定盤８２を既存の吸湿呼吸器の排気管に装着して配設することで、本吸湿呼吸器１と同等の構成とし、同等の効果を得ることができる。すなわち、吸湿呼吸器全体を取り替えることなく、既存の吸湿呼吸器に内筒８を配設することで、そのすべてのシリカゲル１３を無駄なく有効に使用することができ、既存の吸湿呼吸器を有効的に活用することができる。
【図面の簡単な説明】
【００３８】
【図１】本発明の実施形態に係わる吸湿呼吸器の正面図（一部断面図）。
【図２】本発明の実施形態に係わる吸湿呼吸器の内筒の一部を示す正面図（ａ）と平面図（ｂ）。
【図３】本発明の実施形態に係わる吸湿呼吸器における大気の流れを示す模式図。
【図４】内筒が設けられていない吸湿呼吸器における大気の流れを示す模式図。
【図５】本発明の実施形態に係わる吸湿呼吸器において、内筒本体の外周面側に位置するシリカゲルの変色状態を目視している状態を示す図。
【符号の説明】
【００３９】
１          吸湿呼吸器
２          ガラス筒（容器本体）
３          上蓋金具
３ａ        吸湿剤投入口
４          底蓋金具
４ａ        吸湿剤排出口
４ｂ        吸気筒
４ｃ        排気筒
５          呼吸管
６          油壷
６ｂ        仕切板
６ｃ        吸気室
６ｄ        排気室
６ｅ        吸気口
６ｆ        排気口
７          排気管
８          内筒
８１        内筒本体
８２        固定盤（固定手段）
１３        シリカゲル（吸湿剤）
１４        油
１５        多孔底板
【図１】
0004969485.tif 000002
【図２】
0004969485.tif 000003
【図３】
0004969485.tif 000004
【図４】
0004969485.tif 000005
【図５】
0004969485.tif 000006